(57)【要約】【課題】長い使用間も軸受にガタが生じることがなく、揺動ア―ムの取り付け位置が不動であり、また、主軸の回転モ―メントを両玉軸受で受けてその剛性もあり主軸の回転が滑らかであり、主軸に対する両玉軸受の組み付けやメンテナンスも容易な、トランス付きポ―タブルガンの主軸構造を提供する。【解決手段】固定ア―ム１が取り付けられるガン本体２に枢支された主軸４の両側に玉軸受３，３５を配置し、両玉軸受間の主軸部に揺動ア―ム５を取り付け、少なくとも前記玉軸受の一方をアンギュラベアリング３とし、該アンギュラベアリングにねじ６で予圧をかけるようにして揺動ア―ムの位置決めをするトランス付きポ―タブルガンの主軸構造。【選択図】        図２
2007075830.tif 000002
【特許請求の範囲】
【請求項１】
固定ア―ムが取り付けられるガン本体に軸受を介して主軸が枢支され、該主軸に揺動ア―ムが取り付けられたＸ型ガンの主軸構造において、固定ア―ムが取り付けられるガン本体に枢支された主軸の両側に玉軸受を配置し、両玉軸受間の主軸部に揺動ア―ムを取り付け、少なくとも前記玉軸受の一方をアンギュラベアリングとし、該アンギュラベアリングにねじで予圧をかけるようにして揺動ア―ムの位置決めをすることを特徴とするトランス付きポ―タブルガンの主軸構造。
【請求項２】
前記揺動ア―ムが取り付けられる主軸部の外周にシャントを配置したことを特徴とする請求項１記載のトランス付きポ―タブルガンの主軸構造。
【請求項３】
前記各玉軸受をオイルシ―ルで密閉したことを特徴とする請求項１または請求項２記載のトランス付きポ―タブルガンの主軸構造。
【発明の詳細な説明】
【技術分野】
【０００１】
本発明は、固定ア―ムが取り付けられるガン本体に軸受を介して主軸が枢支され、該主軸に揺動ア―ムが取り付けられたＸ型ガンの主軸構造、特にトランス付きポ―タブルガンの主軸構造に関するものである。
【背景技術】
【０００２】
従来，固定ア―ムが取り付けられるガン本体に軸受を介して主軸が枢支され、該主軸に揺動ア―ムが取り付けられたＸ型ガンにおいて、二股に分岐された揺動ア―ムが主軸に取り付けられ、該二股の揺動ア―ム間で主軸にアンギュラベアリングを配置して、該アンギュラベアリングをガン本体に接続し、前記二股に分岐された揺動ア―ムの両側からアンギュラベアリングにねじで予圧をかけるようにした主軸構造がある（例えば、特許文献１参照。）。
【０００３】
【特許文献１】実用新案登録第３０４２９６１号公報
【発明の開示】
【発明が解決しようとする課題】
【０００４】
ところで、前記従来の主軸構造においては、ガン本体に枢支された主軸の中央部にアンギュラベアリンを配置し、該軸受はラジアル荷重に耐え軸方向の位置はアンギュラベアリンによって予圧をかけて隙間ゼロで決められるので、長い使用間もアンギュラベアリンにガタが生じることはないが、主軸の回転モ―メントを一つの軸受で受けることから、その剛性も小さく主軸の回転が滑らにできず、しかも二股の揺動ア―ム間で主軸にアンギュラベアリングを配置することから、主軸に対する軸受の組み付けやメンテナンスが非常に困難である、という問題がある。
【０００５】
本発明は、従来の技術の有するこのような問題点に鑑みてなされたものであり、その目的とするところは、長い使用間も軸受にガタが生じることがなく、揺動ア―ムの取り付け位置が不動であり、また、主軸の回転モ―メントを両玉軸受で受けてその剛性もあり主軸の回転が滑らかであり、主軸に対する両玉軸受の組み付けやメンテナンスも容易な、トランス付きポ―タブルガンの主軸構造を提供しようとするものである。
【課題を解決するための手段】
【０００６】
上記目的を達成するために、本発明におけるトランス付きポ―タブルガンの主軸構造は、固定ア―ムが取り付けられるガン本体に枢支された主軸の両側に玉軸受を配置し、両玉軸受間の主軸部に揺動ア―ムを取り付け、少なくとも玉軸受の一方をアンギュラベアリングとし、該アンギュラベアリングにねじで予圧をかけるようにして揺動ア―ムの位置決めをすることを特徴とする、ものである。
【０００７】
また、前記揺動ア―ムが取り付けられる主軸部の外周にシャントを配置したことを特徴とする、ものである。
【０００８】
また、前記各玉軸受をオイルシ―ルで密閉したことを特徴とする、ものである。
【発明の効果】
【０００９】
本発明に係るトランス付きポ―タブルガンの主軸構造では、ガン本体に枢支された主軸の両側に玉軸受を配置し、該玉軸受でラジアル荷重に耐え軸方向の位置はアンギュラベアリンに予圧をかけて隙間ゼロで決められて揺動ア―ムの位置決めをするるので、長い使用間も玉軸受にガタが生じることがなく、揺動ア―ムの取り付け位置に狂いが生じることがなく、また、主軸の回転モ―メントを両玉軸受で受けてその剛性もあり主軸の回転が滑らかであり、主軸に対する両玉軸受の組み付けやメンテナンスも容易である。
【００１０】
また、前記揺動ア―ムが取り付けられる主軸部の外周にシャントを配置した場合には、トランスと揺動ア―ム間の通電がデットスペ―スを利用して簡単な構成で達成することもできるトランス付きポ―タブルガンの主軸構造となる。
【００１１】
また、前記各玉軸受をオイルシ―ルで密閉した場合には、オイルシ―ルの存在によって溶接作業中のスパッタからの玉軸受の保護も確実にできるトランス付きポ―タブルガンの主軸構造となる。
【発明を実施するための最良の形態】
【００１２】
図１，図２は本発明を実施するのに適したトランス付きポ―タブルガンと該ガンの主軸構造を示すものであり、このトランス付きポ―タブルガンは、固定ア―ム１が取り付けられるガン本体２に軸受３，３５を介して主軸４が枢支され、該主軸４に揺動ア―ム５が取り付けられたＸ型ガンの主軸構造において、固定ア―ム１が取り付けられるガン本体２に枢支された主軸４の両側に玉軸受３，３５を配置し、両玉軸受間に揺動ア―ム５を取り付け、少なくとも前記玉軸受の一方をアンギュラベアリング３とし、該アンギュラベアリング３にねじ６で予圧をかけるようにして揺動ア―ム５の位置決めをするもの、である。
【実施例１】
【００１３】
図１，図２において、トランス付きポ―タブルガンは、固定ア―ム１が接続具１１によって取り付けられるガン本体２には揺動ア―ム５を軸支する主軸４を備え、またガン本体２の後部には前記両ア―ム１，５へ溶接電流を流通させるトランス７と前記揺動ア―ム５を揺動させる駆動装置８を備えている。
【００１４】
そして、該ポ―タブルガンは、ガン本体２が吊り金具（図示せず）に吊り下げられた回転支持軸受構造９によって、その姿勢が任意に変更できるようになっている。
【００１５】
前記ガン本体２は対向する二枚の鋼板２１，２２からなり、両鋼板２１，２２間には前記主軸４が配置され、鋼板２１側はアンギュラベアリング３で軸支され、鋼板２２側はシ―ル付き深溝の玉軸受３５によって軸支されている。
なお、玉軸受３５をもアンギュラベアリングで構成してもよい。
【００１６】
そして、主軸４の中央部４１にはその外周に揺動ア―ム５が軸支され、該揺動ア―ム５とアンギュラベアリング３間および揺動ア―ム５と玉軸受３５間には間隔保持用のカラ―５１，５２が嵌め込まれている。
【００１７】
ガン本体２の鋼板２１側と主軸４の間のアンギュラベアリング３の内輪３１は主軸４の端面にねじ４２によって固着された円板４３とカラ―５１間に保持され、該アンギュラベアリング３の外輪３２はガン本体２の鋼板２１側に配置される円板２３と円筒板２４で挟持されるようになっている。
【００１８】
そして、前記ガン本体２の鋼板２１側に配置される円板２３と円筒板２４はねじ６により鋼板２１に共締めされるようになっており、そのため予め円板２３の内面と円筒板２４の外面とは僅かに隙間を介して配置され、この隙間をねじ６の締め付けで両板２３，２４を密着させ、該両板２３，２４によるアンギュラベアリング３の外輪３２の挟持力を増大させてアンギュラベアリング３に予圧をかけるようになっている。
【００１９】
また、ガン本体２の鋼板２２側と主軸４の間の玉軸受３５の内輪３６は主軸４の端面にネジ４４によって固着された円板４５とカラ―５２間に保持され、該玉軸受３５の外輪３７はガン本体２の鋼板２２側に配置される円板２５と鋼板２２に形成したリング状突片２６とで挟持されるようになっている。
【００２０】
したがって、揺動ア―ム５の軸支部の軸方向の位置は、予圧がかけられたアンギュラベアリング３とカラ―５１によるものと、玉軸受３５とカラ―５２によるものとで決定される。そして、アンギュラベアリング３は予圧がかけられており長期の使用にガタを生じることなく耐え得ることから、揺動ア―ム５の軸支部の軸方向の位置も不動である。また揺動ア―ム５の軸支部のラジアル方向の荷重は主軸４の両端側に配置された玉軸受３，３５によって負担される。
【００２１】
しかも、主軸４に配置される揺動ア―ム５を挟んで主軸４の両軸端側に玉軸受３，３５を配置したので、これら部品の組み付けが簡単にでき、メンテナンスも容易である。
【実施例２】
【００２２】
上記実施例１に記載のトランス付きポ―タブルガンの主軸構造において、揺動ア―ム５が取り付けられる主軸中央部４１の外周にシャント７１を配置した。
【００２３】
このように、トランス７と揺動ア―ム５間の通電用のシャント７１を揺動ア―ム５が取り付けられる主軸中央部４１の外周に配置したので、トランス７と揺動ア―ム５間の通電が主軸中央部４１の外周のデットスペ―スを利用して簡単な構成で達成することもできるトランス付きポ―タブルガンの主軸構造となる。
【実施例３】
【００２４】
上記実施例１または実施例２に記載のトランス付きポ―タブルガンの主軸構造において、前記アンギュラベアリング３もオイルシ―ル３３で密閉した。
【００２５】
このように、主軸の両端側に配置される玉軸受３，３５のいずれもがオイルシ―ルで密閉されるので、溶接作業中のスパッタからの玉軸受３，３５の保護も確実にできるトランス付きポ―タブルガンの主軸構造となる。
【図面の簡単な説明】
【００２６】
【図１】図１は本発明に係る主軸構造を備えたトランス付きポ―タブルガンの概略構成説明図である。
【図２】図２は図１のＡ―Ａ断面である。
【符号の説明】
【００２７】
１                        固定ア―ム
２                        ガン本体
３                        アンギュラベアリング
４                        主軸
５                        揺動ア―ム
６                        ねじ
７                        トランス
３３                      オイルシ―ル
３５                      玉軸受
７１                      シャント
【図１】
2007075830.tif 000003
【図２】
2007075830.tif 000004